(57)【要約】【課題】  対象とする物品に取り付けて用いられる識別媒体を用いて、ネットワークに接続したコンピュータ利用システムにより、システム利用者に対し、遺失物を拾得したことを、迅速に連絡し、確実に引き渡すことができる遺失物管理システムを提供する。【解決手段】  少なくとも識別コードを識別情報として備え、電子的あるいは光学的に前記識別情報を読み取ることができ、且つ、管理対象とする物品に取り付けて用いられる識別媒体を用いて、ネットワークに接続したコンピュータ利用システムにより遺失物を管理する遺失物管理システムで、システム利用者が前記識別媒体を取り付けた物品を遺失した際に、該物品を遺失物として保管をする所定の１以上の遺失物保管部と、ネットワークに接続して、システムの利用者に対し、遺失物の情報提供、遺失物の情報管理を行う遺失物情報管理部とを備えている。【選択図】  図１
2006018704.tif 000002
【特許請求の範囲】
【請求項１】
少なくとも識別コードを識別情報として備え、電子的あるいは光学的に前記識別情報を読み取ることができ、且つ、管理対象とする物品に取り付けて用いられる識別媒体を用いて、ネットワークに接続したコンピュータ利用システムにより遺失物を管理する遺失物管理システムであって、遺失物を保管する所定の１以上の遺失物保管部と、ネットワークに接続し、前記遺失物保管部に保管されたシステム利用者の遺失物の情報提供、情報管理を行う遺失物情報管理部とを有し、前記遺失物情報管理部は、ネットワークを介して、システム利用者側から、前記管理対象とする物品毎に、該物品に取り付けた識別媒体の識別情報、および、該識別媒体に対応するシステム利用者の管理対象とする物品の情報あるいはその所属情報等を含む個人情報を得て、データベース化して管理する個人情報データベースと、専用回線あるいはネットワークを介して、遺失物保管部側から、各遺失物とそれに取りつけられた識別媒体の識別情報を遺失物情報として得て、データベース化して管理する遺失物管理用データベースと、前記個人情報データベースと前記遺失物管理用データベースを基に各遺失物に対応するシステム利用者を検索して抽出する検索抽出手段と、抽出された各遺失物に対応するシステム利用者に、遺失物拾得情報を通知する遺失物拾得情報通知手段とを備えており、また、システム利用者側には、ネットワークを介して、前記個人情報を前記個人情報データベースに入力するための個人情報入力手段を備え、また、前記各遺失物保管部側には、専用回線あるいはネットワークを介して、前記遺失物情報を遺失物管理用データベースに入力するための遺失物情報入力手段を備えていることを特徴とする遺失物管理システム。
【請求項２】
請求項１に記載の遺失物管理システムであって、識別媒体がＩＣタグであることを特徴とする遺失物管理システム。
【発明の詳細な説明】
【技術分野】
【０００１】
本発明は、インターネットなどの通信ネットワークを利用して、遺失物の探索を容易にした遺失物管理システムに関し、特に、鉄道、タクシーなどの事業者による遺失物管理の負担を軽減する遺失物管理システムに関する。
【背景技術】
【０００２】
従来、鉄道、タクシーなどの事業者は、手数料無料で遺失物管理を行っているが、近年、これらのサービスについてコスト面から見直されるようになってきており、有料化に踏み切ることも考えられる。  
このような中、サービスの対価を得る種々の遺失物管理方法が提案されている。
例えば、特開２００２−７３９０８号公報（特許文献１）には、ネットワークを利用した遺失物管理方法が開示されている。
簡単に説明すると、管理ＩＤに対応する物品ＩＤを付与された物品が遺失され、拾得者により当該物品ＩＤが通知された場合に、サービス事業者は、拾得の旨を登録する一方、該管理ＩＤの通知を基に記録された物品の管理を行う。
そして、拾得者によりサービス事業者の営業所に遺失物が持ち込まれ、サービス事業者は拾得した遺失物を保管業者の倉庫に保管したり、保管された遺失物を配送業者に引き取らせたりするサービスを行う。
この場合は、サービス事業者の営業所に遺失物が持ち込まれ、サービス事業者は拾得した遺失物を保管業者の倉庫に保管したりする手間が発生し、これがおおきな負担となる。  また、特開２００２−３６６６４４号公報（特許文献２）には、回収表示及び認識コ―ドを付した媒体を対象とする物品に付けておくことにより、郵送あるいは運送により回収を行う遺失物管理システムが開示されている。
顧客に対して、回収表示及び認識コ―ドを付した媒体を提供し、顧客は対象とする物品に該収表示及び認識コ―ドを付した媒体を添付しておく。
拾得者は、回収表示に着目し、その物品が遺失物であることを認識し、ポストに物品を投函してもらう。
そして、投函された遺失物は、回収・運輸業者から顧客に返送される。
この場合は、拾得者がポストに投函、輸送業者、コンビニばどに遺失物を持ち込むことが前提となり、顧客は、郵便物、運輸業者などから遺失物を返送してもらう。
【特許文献１】特開２００２−７３９０８号公報
【特許文献２】特開２００２−３６６６４４号公報
【発明の開示】
【発明が解決しようとする課題】
【０００３】
上記のように、従来から、鉄道、タクシーなどの事業者による遺失物管理は無料で行われていたが、その負担が大きいことが問題となっており、近年、遺失物管理サービスの対価を得る種々の遺失物管理方法も提案されてるようになってきたが、これらは遺失物を拾得したことを、迅速に該当者に連絡し、確実に引き渡すことができる遺失物管理方法ではなく、対応が求められていた。
本発明はこれに対応するもので、具体的には、少なくとも識別コードを識別情報として備え、電子的あるいは光学的に前記識別情報を読み取ることができ、且つ、管理対象とする物品に取り付けて用いられる識別媒体を用いて、ネットワーク（通信網）に接続したコンピュータ利用システムにより、システム利用者に対し、遺失物を拾得したことを、迅速に連絡し、確実に引き渡すことができる遺失物管理システムを提供しようとするものである。
【課題を解決するための手段】
【０００４】
本発明の遺失物管理システムは、少なくとも識別コードを識別情報として備え、電子的あるいは光学的に前記識別情報を読み取ることができ、且つ、管理対象とする物品に取り付けて用いられる識別媒体を用いて、ネットワークに接続したコンピュータ利用システムにより遺失物を管理する遺失物管理システムであって、遺失物を保管する所定の１以上の遺失物保管部と、ネットワークに接続して、前記遺失物保管部に保管されたシステム利用者の遺失物の情報提供、情報管理を行う遺失物情報管理部とを有し、前記遺失物情報管理部は、ネットワークを介して、システム利用者側から、前記管理対象とする物品毎に、該物品に取り付けた識別媒体の識別情報、および、該識別媒体に対応するシステム利用者の管理対象とする物品の情報あるいはその所属情報等を含む個人情報を得て、データベース化して管理する個人情報データベースと、専用回線あるいはネットワークを介して、遺失物保管部側から、各遺失物とそれに取りつけられた識別媒体の識別情報を遺失物情報として得て、データベース化して管理する遺失物管理用データベースと、前記個人情報データベースと前記遺失物管理用データベースを基に各遺失物に対応するシステム利用者を検索して抽出する検索抽出手段と、抽出された各遺失物に対応するシステム利用者に、遺失物拾得情報を通知する遺失物拾得情報通知手段とを備えており、また、システム利用者側には、ネットワークを介して、前記個人情報を前記個人情報データベースに入力するための個人情報入力手段を備え、また、前記各遺失物保管部側には、専用回線あるいはネットワークを介して、前記遺失物情報を遺失物管理用データベースに入力するための遺失物情報入力手段を備えていることを特徴とするものである。
また、上記のいずれかの遺失物管理システムであって、識別媒体がＩＣタグであることを特徴とするものである。
【０００５】
（作用）
本発明の遺失物管理システムは、このような構成にすることにより、システム利用者に対し、遺失物を拾得したことを、迅速に連絡し、確実に引き渡すことができる遺失物管理システムの提供を可能としている。
具体的には、遺失物を保管する所定の１以上の遺失物保管部と、ネットワークに接続して、前記遺失物保管部に保管されたシステム利用者の遺失物の情報提供、情報管理を行う遺失物情報管理部とを有し、前記遺失物情報管理部は、ネットワークを介して、システム利用者側から、前記管理対象とする物品毎に、該物品に取り付けた識別媒体の識別情報、および、該識別媒体に対応するシステム利用者の管理対象とする物品の情報あるいはその所属情報等を含む個人情報を得て、データベース化して管理する個人情報データベースと、専用回線あるいはネットワークを介して、遺失物保管部側から、各遺失物とそれに取りつけられた識別媒体の識別情報を遺失物情報として得て、データベース化して管理する遺失物管理用データベースと、前記個人情報データベースと前記遺失物管理用データベースを基に各遺失物に対応するシステム利用者を検索して抽出する検索抽出手段と、抽出された各遺失物に対応するシステム利用者に、遺失物拾得情報を通知する遺失物拾得情報通知手段とを備えており、また、システム利用者側には、ネットワークを介して、前記個人情報を前記個人情報データベースに入力するための個人情報入力手段を備え、また、前記各遺失物保管部側には、専用回線あるいはネットワークを介して、前記遺失物情報を遺失物管理用データベースに入力するための遺失物情報入力手段を備えていることにより、これを達成している。
本発明の遺失物管理システムは、少なくとも識別コードを識別情報として備え、電子的あるいは光学的に前記識別情報を読み取ることができ、且つ、管理対象とする物品に取り付けて用いられる識別媒体を用い、ネットワーク（通信網）に接続したコンピュータ利用システムにより遺失物を管理する遺失物管理システムを構築するもので、従来の鉄道、タクシーなどの事業者を保管事業者とすることで、基本的に、従来の遺失物保管、引き取りの流れを変えないシステム形態を採ることができる。
詳しくは、個人情報データベースと、該個人情報データベースに入力するための個人情報入力手段とを備えていることにより、ネットワークを介して、システム利用者側から、個人情報を個人情報理用データベースに入力することができるものとしている。
これにより、管理対象とする物品とそれに備え付けられた識別媒体の識別情報と該物品の所有者とを関連つけてデータベース化することができる。
また、遺失物管理用データベースと、該遺失物管理用データベースに入力するための遺失物情報入力手段を備えていることにより、専用回線あるいはネットワークを介して、各遺失物保管部側から、遺失物情報を遺失物管理用データベースに入力することができるものとしている。
また、個人情報データベースと遺失物管理用データベースと検索抽出手段とを備えており、個人情報データベースと遺失物管理用データベースを基に、検索抽出手段にて、各遺失物に対応するシステム利用者を、検索して抽出することができるものとしている。
また、遺失物拾得情報通知手段を備えていることにより、検索抽出手段にて抽出された遺失物に対応するシステム利用者に、遺失物拾得情報通知できるものとしている。
尚、遺失物保管部側からの遺失物情報入力手段としては、例えば、識別媒体の識別情報を読み取るＲ／Ｗ（リーダーライターの略）と、該Ｒ／Ｗに接続してＲ／Ｗから読み取られた識別情報を少なくとも含む遺失物情報を、専用回線あるいはネットワークを介して、前記遺失物情報管理部側の遺失物管理用データベースに入力するための端末機器とからなるものが挙げられる。
また、システム利用者側からの個人情報入力手段としては、例えば、ＰＣ（パーソナルコンピュータ）、ＰＤＡ（Ｐｅｒｓｏｎａｌ  Ｄｉｇｉｔａｌ  Ａｓｓｉｓｔａｎｃｅ、携帯情報端末とも言う）、携帯電話等の端末機器が挙げられる。
本発明の遺失物管理システムは、このような構成により、遺失物の識別媒体の識別情報と、識別媒体を管理対象とする物品に取り付けたことを示す情報（個人情報の１）を対応させて、遺失物品の持ち主であるシステム利用者を特定し、かつ個人情報に登録された連絡先に、システムにおける保管事業者からシステム提供者経由で連絡することができ、結果、システム利用者は迅速に遺失物を見つけることができ、また、システムにおける保管事業者はその保管業務の軽減を図ることができるものとしている。
【０００６】
また、遺失物情報管理部に識別媒体をその識別情報と関連付けて管理するための識別媒体管理用データベースを備えている場合には、識別媒体の識別コードから、対象とする識別媒体がシステム利用者のものであるか否かを確認することができ、これにより、対象とする識別媒体がシステム利用者のものでない場合には、該識別媒体の不要なデータを遺失物管理用データベースに入れることがないようにできる。
また、各遺失物に該当するシステム利用者を認証するために、前記遺失物情報管理部に、パスワード（暗証番号とも言う）でシステム利用者の認証を行うパスワード照合手段を備えている場合には、システム利用者は、予め、前記管理対象とする物品毎の個人情報の中に、パスワードを入れておき、遺失物の受け渡しに際し、前記パスワード照合手段によりシステム利用者の認証を行うことにより、確実に遺失物に該当するシステム利用者へ遺失物を渡すことができる。
識別媒体がＩＣタグである場合には、バーコードや二次元エリアコードのように物品に貼り付けて表示する必要はなく、かばんの中に置いても、識別媒体としての機能を果たすことができる。
そしてまた、遺失物した管理対象の物品が拾得された際に、拾得日時、拾得場所、保管場所などをそのメモリ内に入力しておき、該遺失物に対応させて、入力された情報も遺失物管理データベースに入れておくことにより、より、確実な細かい管理を可能としている。
特に、遺失物保管部が、鉄道事業者あるいはタクシー事業者の遺失物保管所である場合には、有効である。
【発明の効果】
【０００７】
本発明は、上記のように、システム利用者に対し、遺失物を拾得したことを、迅速に連絡し、確実に引き渡すことができる遺失物管理システムの提供を可能とした。
特に、鉄道事業者あるいはタクシー事業者等の遺失物保管者の保管負担を軽減できるものとした。
【発明を実施するための最良の形態】
【０００８】
本発明の実施の形態を図に基づいて説明する。
図１は本発明の遺失物管理システムの実施の形態の１例のシステム構成を示した図で、図２は図１に示す遺失物管理システムの機能を示したブロック図で、図３は処理フローの１例を示したフロー図である。
尚、図３におけるＳ１１〜Ｓ１４、Ｓ２１〜Ｓ２７、Ｓ３１〜Ｓ３４は処理ステップを示している。
図１、図２において、１１０は遺失物情報管理部、１１１〜１１３はサーバ、１１１ａは個人情報ＤＢ（以下、データベースをＤＢと略す）、１１２ａは遺失物管理用ＤＢ、１１３ａは識別媒体管理用ＤＢ、１２０は遺失物保管部、１２１はＰＣ（パーソナルコンピュータの略）、１２２はＲ／Ｗ（リーダーライターの略）、１３０は公衆通信網（ここではインターネットのこと）、１４１はシステム利用者側（単にシステム利用者とも言う）、１４１はＰＣ、１４２はＰＤＡ（Ｐｅｒｓｏｎａｌ  Ｄｉｇｉｔａｌ  Ａｓｓｉｓｔａｎｃｅ、携帯情報端末とも言う）、１４３は携帯電話、２１０は制御部、２２０は記憶手段、２２１は個人情報データベース、２２２は遺失物管理用データベース、２２３は識別情報データベース、２３０は表示手段、２３１個人情報入力手段、２３２は個人情報確認手段、２３３は検索抽出手段、２３４は遺失物拾得情報通知手段、２３５はパスワード照合手段、２４１は遺失物情報入力手段、２５０は公衆通信網（ここではインターネットのこと）、２６０は専用回線通信手段である。
【０００９】
先ず、本発明の遺失物管理システムの実施の形態の１例を図に基づいて説明する。
本例の遺失物管理システムは、少なくとも識別コードを識別情報として備え、電子的に前記識別情報を読み取ることができ、且つ、管理対象とする物品に取り付けて用いられる識別媒体である非接触型のＩＣタグを用いて、インターネット上のコンピュータ利用システムにより遺失物を管理する遺失物管理システムである。
そして、システム利用者１４０が非接触型のＩＣタグを取り付けた物品を遺失した際に、該物品を遺失物として保管をする所定の１つの遺失物保管部１２０と、インターネット上で、システム利用者１４０に対し、前記所定１つの遺失物保管部１２０に保管された、該システム利用者１４０の遺失物の情報提供、遺失物の情報管理を行う遺失物情報管理部１１０とを備えたものである。
尚、図１においては、システム利用者を１として示しているが、図を分かり易くするために、他の利用者を示していないだけで、実際には複数の利用者を対象としている遺失物管理システムである。
【００１０】
はじめに、本例の遺失物管理システムのシステム構成を図１に基づいて説明する。
本例の遺失物管理システムは、システムの提供者側であるサービス事業者が遺失物保管部１２０を備え、遺失物保管事業者側が遺失物情報管理部１１０を公衆通信網（インタネット）１３０に接続して備えており、遺失物情報管理部１１０と遺失物保管部１２０とは、専用回線１３５にて接続しており、複数のシステム利用者が、公衆通信網（インタネット）１３０を介して、ＰＣ（１４１）、ＰＤＡ（１４２）、携帯電話（１４３）等の端末機器により、遺失物情報管理部１１０と通信を行うものである。
遺失物情報管理部１１０は、公衆通信網（インターネット）１３０に接続した各処理用のサーバ１１１、１１２、１１３を備え、これらのサーバにより、公衆通信網（インターネット）１３０を介してシステム利用者と接続し、また、専用回線１３５を介して遺失物保管部１２０と接続し、個人情報データベース１１１ａ、遺失物管理用データベース１１２ａ、識別媒体管理用データベース１１３ａをもとに、遺失物の管理を行うものである。  個人情報データベース１１１ａは、公衆通信網（インターネット）１３０を介して、システム利用者１４０から、管理対象とする物品毎に、該物品に取り付けた識別媒体であるＩＣタグの識別情報、および、該ＩＣタグに対応するシステム利用者の管理対象とする物品の情報あるいはその所属情報等を含む個人情報を得て、データベース化して管理するものであり、遺失物管理用データベース１１２ａは、専用回線１３５を介して、遺失物保管部１２０から、各遺失物とそれに取りつけられた識別媒体の識別情報を遺失物情報として得て、データベース化して管理するものであり、識別媒体管理用データベース１１３ａは、識別媒体であるＩＣタグをその識別情報と関連付けて管理するものである。
また、遺失物保管部１２０は、遺失物に取り付けられた識別媒体であるＩＣタグの識別情報を読み取る識別情報読み取り手段であるＲ／Ｗ（１２２）と、読み取られた識別情報を専用回線１３５を介して、遺失物情報管理部１１０に転送する情報転送手段である専用回線１３５に接続したＰＣ（１２１）とを備えている。
【００１１】
更に、本例の遺失物管理システムの機能について、図２に基づいて説明する。
尚、図２は、図１に示すサーバ１１１、１１２、１１３を一体化してみた場合の、各機能を示したブロック図である。
遺失物情報管理部１１０におけるサーバの制御手段２１０による管理下で各機能は動作する。
本例では、遺失物情報管理部（図１の１１０）側の制御部２１０の管理下に、先に述べた個人情報データベース１１１ａ、遺失物管理用データベース１１２ｂ、識別媒体管理用データベース１１３ａを構築した記憶手段２２０と、操作画面等を表示する表示手段２３０と、個人情報を入力するための個人情報入力手段２３１と、個人情報を確認するための個人情報確認手段２３２と、個人情報データベース１１１ａ、前記遺失物管理用データベース１１２ａを基に検索し、各遺失物に対応するシステム利用者を抽出する検索抽出手段２３３と、該当するシステム利用者に遺失物拾得情報を通知するための遺失物拾得情報通知手段２３４と、遺失物を受け取る際のシステム利用者の認証をパスワードで行うパスワード照合手段２３５と、遺失物に取り付けられた識別媒体であるＩＣタグの識別情報を読み取り、これを、あるいはこれと他の遺失物情報等を入力するための遺失物情報入力手段２４１とを備え、更に、システム利用者との通信を行う公衆通信網（インターネット）２５０と、前記遺失物情報入力手段２４１と接続するための専用回線通信手段２６０とを、その機能部として備えている。
ここでは、図１に示すように、遺失物の遺失物に取り付けられた識別媒体であるＩＣタグの識別情報を読み取るＲ／Ｗ（１２２）を、専用回線１３５に接続したＰＣ（１２１）に接続して、これを遺失物情報入力手段２４１としている。
【００１２】
次に、本例の遺失物管理システムの処理フローの１例を、図３に基づいて説明する。
先ず、システム利用者は、識別媒体であるＩＣタグを購入する。（Ｓ１１）
ここでは、本例の遺失物管理システムに用いられる識別媒体であるＩＣタグは、本システムのサービスを提供するサービス事業者側から、本例の遺失物管理システム用として、例えば１０個を１セットとして購入するものとする。
識別媒体であるＩＣタグには、そのメモリ内に、識別コードが付与されている。
次いで、本例の遺失物管理システム用としてのＩＣタグを購入したシステム利用者は、対象とする物品にＩＣタグを備え付け（Ｓ１２）、これとともに、ＩＣタグの識別情報、および、該ＩＣタグに対応するシステム利用者の管理対象とする物品の情報あるいはその所属情報（利用者個人の情報）、パスワード等を含む個人情報を個人情報データベースに送信しておく。（Ｓ１３）
【００１３】
一方、サービス事業者側は、本例の遺失物管理システムに用いられる識別媒体であるＩＣタグの管理用として、識別媒体管理用データベースを作成しておく。（Ｓ２１）
識別媒体管理用データベースは、販売する本例の遺失物管理システム用のＩＣタグを管理するためのものである。
そして、システム利用者からの個人情報を個人情報データベースに登録し（Ｓ２２）、その登録情報の内容確認のため、該当するシステム利用者に確認メールを送信する。（Ｓ２３）
【００１４】
システム利用者が、管理対象とする物品を遺失し、所定の遺失物保管部（遺失物保管事業所とも言う）に届けられ、そこに預けられ、保管された場合（Ｓ３１）、そこで、ＰＣ（図１の１２１）に接続したＲ／Ｗ（図１の１２２）により、ＩＣタグの識別コードを読み取り、専用回線１３５を介して、遺失物情報として入力すると（Ｓ３２）、遺失物管理用データベースに登録される。（Ｓ２４）
この場合、識別コードが読み込むことができなければ、読み取りを中止する。
登録の際に、他の遺失物情報を入力しても良い。
遺失物した管理対象の物品が拾得された際に、拾得日時、拾得場所、保管場所などをそＩＣタグののメモリ内に入力しておき、該遺失物に対応させて、入力された情報も遺失物管理データベースに入れておいても良い。
これに伴い、識別媒体管理用データベースにて、遺失物管理用データベースに登録された内容である、登録された識別媒体の識別コードを確認する。（Ｓ２５）
遺失物管理用データベースに登録された識別媒体の識別コードが、識別媒体管理用データベースにない場合には、本遺失物管理システムの管理対象外とし、管理の対象からはずしておく。
遺失物管理用データベースに登録された識別媒体の識別コードが、識別媒体管理用データベースにある場合には、遺失物に対応するシステム利用者に、遺失物確認のメールを送信する。（Ｓ２６）
【００１５】
遺失物確認のメールを受け取ったシステム利用者は、遺失物保管部に出向き遺失物の受け取りを行うが、ここで、パスワードを入力する。
パスワード入力は、専用回線１３５に接続したＰＣ（図１の１２１）にて、識別コードの入力とともに行う。（Ｓ３３）
サービス事業者側は、パスワードの確認によるシステム利用者に認証を行い、認証結果を通信回線を介して、遺失物保管事業者側に送信し、認証結果がＯＫであれば、遺失物をシステム利用者に引き渡す。
勿論、認証結果がＯＫでなければ、引き渡さない。
【００１６】
このように、本例の遺失物管理システムにおいては、各処理が行われるが、本例は１例でこれに限定はされない。
特に、鉄道、タクシーなどの事業者の遺失部保管所を、本例の遺失物管理システムの遺失物保管部として機能させることにより、遺失物管理の合理化を有効に行うことを可能としている。
本例の遺失物管理システムにおいては、識別媒体としてＩＣタグを用いたが、これに限定されない。
例えば、識別コード等の識別情報を光学的に読み取れるバーコードや二次元エリアコード等でも良い。
本例の場合は、識別媒体としてＩＣタグを用いており、バーコードや二次元エリアコードのように物品に貼り付けて表示する必要はなく、かばんの中に置いても、識別媒体としての機能を果たすことができ、また、遺失物した管理対象の物品が拾得された際に、拾得日時、拾得場所、保管場所などをそのメモリ内に入力しておき、該遺失物に対応させて、入力された情報も遺失物管理データベースに入れておくことにより、より、確実な細かい管理を可能としている。
また、本例遺失物管理システムにおいては、所定１つの遺失物保管部１２０を管理の対象箇所としているが、所定の２以上の遺失物保管部１２０を管理の対象箇所としてもよい。
また、例えば、現在遺失物管理にコストをかけている鉄道、タクシーなどの事業者およびまたはシステムサービス提供者が、本例ような遺失物管理システムのサービスを提供することで、遺失物管理の有料化を図っても良いし、また、システム利用者が識別媒体を商品として購入し、それを原資とし、利用者の利用具合に応じて参加事業者に金額が支払われる仕組みとしても良い。
【図面の簡単な説明】
【００１７】
【図１】本発明の遺失物管理システムの実施の形態の１例のシステム構成を示した図である。
【図２】図１に示す遺失物管理システムの機能を示したブロック図である。
【図３】処理フローの１例を示したフロー図である。
【符号の説明】
【００１８】
１１０              遺失物情報管理部
１１１〜１１３      サーバ
１１１ａ            個人情報ＤＢ
１１２ａ            遺失物管理用ＤＢ
１１３ａ            識別媒体管理用ＤＢ
１２０              遺失物保管部
１２１              ＰＣ（パーソナルコンピュータの略）
１２２              Ｒ／Ｗ（リーダーライターの略）
１３０              公衆通信網（こではインターネットのこと）
１４１              システム利用者側（単にシステム利用者とも言う）
１４１              ＰＣ
１４２              ＰＤＡ（Ｐｅｒｓｏｎａｌ  Ｄｉｇｉｔａｌ  Ａｓｓｉｓｔａｎｃｅ、携帯情報端末とも言う）
１４３              携帯電話
２１０              制御部
２２０              記憶手段
２２１              個人情報データベース
２２２              遺失物管理用データベース
２２３              識別情報データベース
２３０              表示手段
２３１              個人情報入力手段
２３２              個人情報確認手段
２３３              検索抽出手段
２３４              遺失物拾得情報通知手段
２３５              パスワード照合手段
２４１              遺失物情報入力手段
２５０              公衆通信網（こではインターネットのこと）
２６０              専用回線通信手段
【図１】
2006018704.tif 000003
【図２】
2006018704.tif 000004
【図３】
2006018704.tif 000005